(57)【要約】【課題】  装置全体が薄く、薬剤保持体を簡単に交換できるファン式薬剤放散装置とする。【解決手段】  開閉自在な蓋１１を有した装置本体１内に送風機２と薬剤保持体３を設け、送風機２のファン２０を回転することで第１通気口１４、薬剤保持体３、第２通気口１５に空気が流通するように構成し、前記薬剤保持体３は薬剤含浸シート３０を固定部（円筒容器３１、止め板３２）で保持した薄いものとし、この薬剤保持体３をファン２０の側面２０ａに着脱自在で、かつファン２０とともに回転するように取付け、前記蓋１１を開放することで薬剤保持体３を交換できるようにしたファン式薬剤放散装置である。【選択図】  図１
2005237320.tif 000002
【特許請求の範囲】
【請求項１】
装置本体１内に送風機２と薬剤保持体３を設け、この送風機２のファン２０を回転することで薬剤保持体３に空気を流通して薬剤を大気に放散するファン式薬剤放散装置において、
前記装置本体１は、本体１０と蓋１１で送風機２と薬剤保持体３を収容する収容室を有し、この収容室を大気に開口する第１通気口１４、第２通気口１５を有する形状で、
前記ファン２０は、軸方向の側面２０ａから空気を吸い込んで周面２０ｂに吐出する遠心式のファンで、
前記薬剤保持体３は、通気性の薬剤含浸シート３０を固定部で保持したもので、
この薬剤保持体３を、前記ファン２０の側面２０ａに着脱自在で、かつファン２０とともに回転するように取付けたことを特徴とするファン式薬剤放散装置。
【請求項２】
ファン２０の側面２０ａ部分と薬剤保持体３とに亘って、相互に係脱自在な係止手段と係止部を設け、この係止手段と係止部を係止することで薬剤保持体３がファン２０の側面２０ａに回転しないように取付けられるようにした請求項１記載のファン式薬剤放散装置。
【請求項３】
ファン２０は上リング４０と下リング４１に複数の翼４２を取付けた遠心式のファンで、その上リング４０に薬剤保持体３が取付けられ、
前記各翼４２の上リング４０側の上面が、前記薬剤保持体３又は上リング４０で閉塞されている請求項１記載のファン式薬剤放散装置。
【請求項４】
薬剤含浸シート３０は、不織布に薬剤を含浸したものである請求項１又は２又は３記載のファン式薬剤放散装置。
【発明の詳細な説明】
【技術分野】
【０００１】
本発明は、ファンを回転することで空気を、芳香剤、消臭剤、殺菌剤、殺ダニ剤、害虫あるいは害獣忌避剤、殺虫剤または害虫の成長制御剤、吸血行動阻止剤などの薬剤を含浸した薬剤保持体に流通して薬剤を大気に放散するファン式薬剤放散装置に関するものである。
【背景技術】
【０００２】
特許文献１に開示されたファン式薬剤放散装置が知られている。
このファン式薬剤放散装置は、装置本体内に、送風機と薬剤容器と電源収納体を設けたもので、その送風機はファンとモータを有し、薬剤容器には揮散性の薬剤が収納され、電源収納体には電池が収容されている。
そして、モータでファンを回転することで薬剤容器に空気を流通して揮散性の薬剤を大気に放散する。
【０００３】
特許文献２に、ロータリーファンの内部に、揮散性害虫駆除剤としてエムペンスリンを封入した袋又は容器を保持し、そのロータリーファンを回転することでエムペンスリンを大気に放散する薬剤の放散方法が開示されている。
【０００４】
【特許文献１】特許公開２００２−２９１３９２号公報
【特許文献２】特許第３３６１５４１号公報
【発明の開示】
【発明が解決しようとする課題】
【０００５】
特許文献１に開示されたファン式薬剤放散装置によれば、装置本体内に送風機と薬剤容器を並設し、送風機のファンの回転することで薬剤容器に空気を流通するので、その装置本体内に送風機を収容するスペースと、薬剤容器を収容するスペースと、両スペース間に空気をスムーズに流通する空気流路が必要である。
しかも、薬剤容器は通気性を有すると共に、薬剤を含浸した粒状の薬剤含浸体を多数収容した形態であるから、その薬剤容器は厚く、前述のスペースは長いものである。
これらが相俟って装置本体が厚く、ファン式薬剤放散装置全体が厚くなってしまう。
【０００６】
特許文献２に開示された薬剤の放散方法を実施する袋又は容器を保持したロータリーファンを、前述の装置本体に適用すれば、装置本体内に薬剤容器を収容するスペースと空気流路が不要であるから、装置本体を薄くしてファン式薬剤放散装置の全体を薄くできる。
しかしながら、ロータリーファン内に、薬剤が入れてある袋又は容器を保持しているので、その薬剤の薬効がなくなった場合に交換する作業が面倒である。
【０００７】
本発明の目的は、装置本体が薄く、薬剤保持体を簡単に取り替えできるようにしたファン式薬剤放散装置を提供することである。
【課題を解決するための手段】
【０００８】
第１の発明は、装置本体１内に送風機２と薬剤保持体３を設け、この送風機２のファン２０を回転することで薬剤保持体３に空気を流通して薬剤を大気に放散するファン式薬剤放散装置において、
前記装置本体１は、本体１０と蓋１１で送風機２と薬剤保持体３を収容する収容室を有し、この収容室を大気に開口する第１通気口１４、第２通気口１５を有する形状で、
前記ファン２０は、軸方向の側面２０ａから空気を吸い込んで周面２０ｂに吐出する遠心式のファンで、
前記薬剤保持体３は、通気性の薬剤含浸シート３０を固定部で保持したもので、
この薬剤保持体３を、前記ファン２０の側面２０ａに着脱自在で、かつファン２０とともに回転するように取付けたことを特徴とするファン式薬剤放散装置である。
【０００９】
第２の発明は、第１の発明において、ファン２０の側面２０ａ部分と薬剤保持体３とに亘って、相互に係脱自在な係止手段と係止部を設け、この係止手段と係止部を係止することで薬剤保持体３がファン２０の側面２０ａに回転しないように取付けられるようにしたファン式薬剤放散装置である。
【００１０】
第３の発明は、第１の発明において、ファン２０は上リング４０と下リング４１に複数の翼４２を取付けた遠心式のファンで、その上リング４０に薬剤保持体３が取付けられ、
前記各翼４２の上リング４０側の上面が、前記薬剤保持体３又は上リング４０で閉塞されているファン式薬剤放散装置である。
【００１１】
第４の発明は、第１又は第２又は第３の発明において、薬剤含浸シート３０は、不織布に薬剤を含浸したものであるファン式薬剤放散装置である。
【発明の効果】
【００１２】
請求項１に係る発明によれば、ファン２０の側面２０ａに薬剤保持体３を取付けたので、そのファン２０と薬剤保持体３との間に空気流路を構成するスペースが不要であるし、その薬剤保持体３は薬剤含浸シート３０を固定部で保持したもので薄いから、装置全体が薄い。
また、蓋１１を外すことで薬剤保持体３を取り出し、取付けできるから、薬剤保持体３を簡単に交換できる。
【００１３】
請求項２に係る発明によれば、ファン２０の係止手段と薬剤保持体３の係止部を係止、離脱することで薬剤保持体３をファン２０の側面２０ａに取付け、取外しでき、その操作が簡単である。
【００１４】
請求項３に係る発明によれば、ファン２０の各翼４２の上面が閉塞されているから、ファン２０の内周から外周にスムーズに空気が流れ、吸い込み性能が向上する。
【００１５】
請求項４に係る発明によれば、薬剤含浸シート３０にスムーズに空気が流通するし、安価に製作できる。
【発明を実施するための最良の形態】
【００１６】
図１に示すように、装置本体１と、この装置本体１内に設けた送風機２、薬剤保持体３、電池４等でファン式薬剤放散装置を構成している。
前記装置本体１は、本体１０と、この本体１０に着脱自在に取付けた蓋１１で、送風機２と薬剤保持体３を収容する第１収容室１２と電池４を収容する第２収容室１３を有する。
前記装置本体１は、第１収容室１２に開口した第１通気口１４と第２通気口１５を有する。この実施の形態では蓋１１に第１通気口１４と第２通気口１５が形成してあるが、これに限ることはなく本体１０に形成しても良いし、本体１０と蓋１１にそれぞれ形成しても良い。
前記第１通気口１４はスリット状、メッシュ状などの形状が好ましい。
【００１７】
前記装置本体１の具体形状を説明するが、これに限ることはない。
前記本体１０は底板１０ａと周縁立上り片１０ｂでほぼ皿形状で、その周縁立上り片１０ｂに係止部１６が形成してある。
前記蓋１１は上面板１１ａと周面板１１ｂを備え、その周面板１１ｂに設けた係止片１７を前記係止部１６に係脱自在に係止して蓋１１を本体１０に着脱自在に取付けられる。
前記上面板１１ａに第１通気口１４、周面板１１ｂに第２通気口１５が形成してある。
【００１８】
前記送風機２はファン２０とモータ２１とファンケーシング２２を備えている。
前記ファン２０は軸方向の側面２０ａから空気を吸い込み、周面２０ｂから吐出する遠心式のファンで、そのファン２０はファンケーシング２２の開口部２２ａよりも小さく、そのファン２０の側面２０ａは開口部２２ａからファンケーシング２２の外部に露呈し、かつ前記第１通気口１４と対向している。
前記ファンケーシング２２はモータ取付用の凹部２２ｂと吐出口２２ｃを有し、その凹部２２ｂにモータ２１が取付けてあると共に、その吐出口２２ｃが前記第２通気口１５と対向している。
このファンケーシング２２が本体１０ａに係止して取付けてある。
【００１９】
前記薬剤保持体３は通気性を有する円形の薬剤含浸シート３０を固定部で保持して所定形状に維持したもので、前記ファン２０の側面２０ａに着脱自在で、かつファン２０とともに回転するように取付けてある。
前記固定部としては、例えば、この薬剤含浸シート３０を収容する円形容器３１と、この円形容器３１内に薬剤含浸シート３０を固定する円形の止め板３２を備えている。
前記円形容器３１、止め板３２は通気部３１ａ，３２ａを有する。
前記円形容器３１が、前記ファン２０の側面２０ａに着脱自在に取付けられ、薬剤保持体３はファン２０とともに回転する。
【００２０】
次に、前記ファン２０の具体形状の一例を説明する。
図２に示すように、上リング４０と下リング４１に亘って複数の翼４２を取付けた遠心式のファンで、その上リング４０に３本のスポーク４３を介して軸部４４が設けてある。この軸部４４は図１に示すようにモータ２１の軸２１ａが嵌合して連結される下向きの凹部４４ａと、上向きの凸部４４ｂを有する。
前記上リング４０には前述の薬剤保持体３の固定部（円形容器３１）に形成した係合部を係合して取付ける係止手段、例えば複数の突起４５が設けてある。
【００２１】
前記薬剤保持体３の具体形状の一例を説明する。
図２に示すように、円形容器３１は天面板３１ｂと周面板３１ｃを備え、その天面板３１ｂには開口部が形成されて前述の通気部３１ａを形成している。
前記周面板３１ｃは前記ファン２０の上リング４０と同一径で、その上リング４０の係止手段に係合する係合部、例えば突起４５に嵌合する切欠凹部４６が形成してある。
前記薬剤含浸シート３０は不織布などからなる通気性のシート材に薬剤を適量含浸させた薄い円板状で、前記周面板３１ｃ内に嵌まり込む大きさである。
前記止め板３２は、前記周面板３１ｃ内に嵌まり込む大きさの薄い円板状で、開口部が形成されて前述の通気部３２ａを有し、その中心部に前記凸部４４ｂが嵌合する孔４７が形成してある。
この止め板３２は薬剤含浸シート３０を円形容器３１の天面板３１ｂに押しつけて薬剤含浸シート３０を支持するものであるから、この止め板３２と薬剤含浸シート３０の接触面積は少なく、通気部３２ａの開口面積が大きく薬剤含浸シート３０に多量の空気が流通するようにすることが好ましい。
例えば、止め板３２を外周リング４８と３本のスポーク４９で形成し、その外周リング４８の幅とスポーク４９の幅を小さくする。
【００２２】
ファン２０と薬剤保持体３を前述のように構成することで、その薬剤保持体３をファン２０の側面２０ａに重ねて押えることによって、ファン２０の突起４５、凸部４４ｂと円形容器３１の切欠凹部４６、止め板３２の孔４７がそれぞれ嵌着するので、薬剤保持体３をしっかりと取付けできる。
また、ファン２０の各翼４２の上面が円形容器３１の天面板３１ｂで覆われて塞がれるので、ファン２０の内周から外周への気流の通過が促進され吸い込みがスムーズに行われる。
つまり、円形容器３１の天面板３１ｂにおける通気部３１ａを形成した残りの部分の径が翼４２の内周面と同一である。
【００２３】
このようであるから、モータ２１でファン２０を回転することで、第１通気口１４、円形容器３１の通気部３１ａ、薬剤含浸シート３０、止め板３２の通気部３２ａを通って、ファン２０の側面２０ａから内周に空気を吸い込み、ファン２０の周面２０ｂから空気を吐出し、その空気はファンケーシング２２の吐出口２２ｃ、第２通気口１５より大気に排出される。
また、蓋１１を外すことで、薬剤保持体３を交換することができる。
また、ファン２０の側面２０ａに薬剤保持体３が取付けてあるから、ファン２０と薬剤保持体３との間にはスペースが不要で、装置本体１を薄くできる。
また、薬剤保持体３は薬剤含浸シート３０を固定部（円形容器３１、止め板３２）で保持したものであるから、その薬剤保持体３が薄く、装置本体１をより一層薄くできる。
【００２４】
次に、他の実施の形態を説明する。
前記ファンケーシング２２の吐出口２２ｃを有する周縁部分を取り除き、ファン２０の略全体がファンケーシング２２から突出するようにしても良い。
例えば、図３に示すようにファンケーシング２２の一部分を切り取り、蓋１１とでファンケーシング２２を構成するようにする。
このようにすれば、装置本体１の内部が簡単な構造になり、好ましい。
【００２５】
図４に示すように、ファン２０の下リング４１を幅広くして翼４２の下面を覆うようにしても良い。
図４においては、ファン２０の係止手段は上リング４０の外周面に突出した突片５０で、円形容器３１の周面板３１ｃを上リング４０に嵌合して切欠凹部４６を突片５０に係合するようにしてある。
【００２６】
図５に示すように、ファン２０の上リング４０を幅広くして翼４２の上面を塞ぐようにしても良い。
この場合には、円形容器３１の通気部３１ａを大きくすることが可能である。
図５においては、ファン２０の係止手段は軸部４４の上向凸部４４ｂに突片５１を放射状に設けたものとし、止め板３２の孔４７に突片５１が嵌合する溝５２を形成し、その溝５２を嵌合することで回転しないようにしてある。
【００２７】
図６に示すように、上リング４０、下リング４１を幅広くして翼４２の上面、下面を塞ぐようにし、前記円形容器３１を上下反転した形状とし、その円形容器３１をファン２０の側面２０ａに接して取付けても良い。
図５においては、ファン２０の係止手段は孔５３で、円形容器３１の天面板３１ｂ（この場合には底面板となります）に突起５４を設け、この突起５４を孔５３に嵌合して回転しないように係止するようにしてある。
【００２８】
図示は省略するが、ファン２０を上リング４０と下リング４１との間に中間リングを有し、この中間リングのスポークに軸部４４を有する形状としても良い。
このようなファン２０とすれば、上リング４０と中間リングの間に薬剤保持体３が嵌まる形状とすることが可能である。
また、薬剤保持体３は薬剤含浸シート３０を２つの止め板で挟持するようにしたもの、円形容器３１に薬剤含浸シート３０を接着して取付けたもの等でも良い。
また、薬剤含浸シート３０は円板状部と筒状部を有する形状で、その筒状部がファン２０の周面２０ｂに嵌まり合うようにしても良い。
【００２９】
前述の実施形態で説明した通り、薬剤保持体３をファン２０に嵌着した使用時において、少なくともファン２０の吸込み側（側面２０ａ）の翼４２の面が塞がれた状態であることが好ましい。更に好ましくは、翼４２の上下面が塞がれた状態である。この塞がれた状態にすることで、ファン２０内の内周から外周に向けて気流の通過が促進され、薬剤保持体３中の薬剤を気流と共に効率よく大気中に放出することができる。
また、塞がれた状態にする手段としては、ファン２０のリングの利用による形成、又は薬剤保持体３の円形容器３１の利用による形成、或いはファン２０のリング及び薬剤保持体３の円形容器３１などの両方を利用し形成、などが例示される。
【００３０】
また、ファン２０に薬剤保持体３を着脱自在で回転しないように取付けるには、ファン２０では、ファン２０を構成するリングや軸部やスポーク、薬剤保持体３では、形状を支える固定部などに係止手段を備える。係止手段は、既存の手段を用いることができ、例えば、両者に凹凸を設け嵌め込む、突起及び凹みを設け挿し込む、段差を設け入れ込む、寸法差を設け被せる、ネジ式とし回転止め、などが挙げられる。
【００３１】
本発明に用いる薬剤保持体３に保持する薬剤としては、送風で揮散する害虫防除剤（殺虫剤、忌避剤、昆虫成長制御剤、殺ダニ剤、防虫性精油など）、芳香剤、消臭剤、除菌剤、害獣忌避剤なとが挙げられる。
代表的薬剤として、害虫防除剤は安全性が高いピレスロイド系化合物が好適であり、例えば、メトフルトリン、トランスフルトリン、エムペントリン、テラレスリンなどが例示でき、これらの単独、又は組合わせて使用される。これらの中でも、特に殺虫活性の高いメトフルトリン、トランスフルトリンが少量の使用量でよく、薄いシートには最適である。
その添加原液をシート材に滴下塗布、刷け塗り、浸漬塗布、噴霧塗布、印刷塗布又はシート材の材料に混合して成型し、薬剤含浸シートを得る。
【００３２】
本発明に用いる薬剤を保持するシート材としては、天然繊維、化学繊維、不織布（天然繊維、化学繊維、炭素繊維など）、樹脂ネット（ポリエチレン、ポリプロピレン、ポリ塩化ビニルなど）、布綿（織物、編物など）、抄紙（パルプ、リンター、合成紙など）などが例示できる。これらの中でも、通気性や保有性に優れた不織布が好ましい。不織布の目付けは、１０〜１００ｇ／ｍ２、より好ましくは２０〜５０ｇ／ｍ２である。
【００３３】
また、シートに薬剤を保持する際、薬剤を徐放化する揮散調整剤（ワセリン類、グリコール類、など）、溶解剤（パラフィン類、多価アルコール類、など）、酸化防止剤（ＢＨＴ、ＢＨＡ、など）、紫外線吸収剤、インジケータ機能剤（色変色素、など）などを必要に応じて使用する。
【００３４】
シート３０を固定する材料としては、樹脂類（ポリエチレンテレフタレート、ポリプロピレン、薬剤含浸ポリエチレン、ポリアセタール、ナイロン、アクリル、ＡＢＳ、ＡＳなど）、合成紙、金属類、などが例示できる。又、これらによる固定する形状は、シート形状を保ち、気流がシートの略全面を通過する開口部を有していればよく、輪形、網形、放射形などが例示でき、これに係止手段を備えた形状とする。
【００３５】
また、薬剤含浸シート３０を固定する手段としては、そのシートを挟んだ状態で上下面を固定する。又は上下のいずれか片面にシートを接着し固定する。また、シートの周側端などを樹脂等で固化することもできる。
更に、ファン２０への負担を軽減することを考慮すると、その厚みは、２〜１０ｍｍ、好ましくは、２〜７ｍｍである。
【００３６】
本発明に用いるファン２０としては、シロッコファン、ラジアルファン、ターボファン等が挙げられる。その回転数は、５００〜４０００ｒｐｍ、好ましくは、７００〜３０００ｒｐｍである。また、翼は、弧状或いは彎曲した形状が好ましい。また、シロッコファン、ラジアルファンとしては、翼枚数が１０〜５０枚のものがよい。
【００３７】
本発明において、モータ２１の電源としては、アルカリ単５電池、アルカリ単４電池、アルカリ単３電池、アルカリ単２電池、アルカリ単１電池、マンガン単５電池、マンガン単４電池、マンガン単３電池、マンガン単２電池、マンガン単１電池、角電池、リチウム電池、リチウムボタン電池等の電池を単一、もしくは複数組み合わせて用いることが例示される。
【００３８】
前述の装置本体１の形態において、電池４を収容する第２収容室１３を送風機２の裏側に設けることができる。又は、装置本体１内ではなく蓋１１内に設けることもでき、閉じることで通電するようにしてもよい。
前述の開閉する蓋１１の形態において、開閉手段はスナップ式の係合形式に限定されず、ヒンジ形式、嵌め込み形式、回転形式、スライド形式など既存手段を採用してもよい。また、蓋１１の被覆面は、電池４を収容する第２収納室１３を閉鎖した形態とし、送風機２を収容する第１収容部１２だけを被覆する形態にすることもできる。
【００３９】
使用場面における使用方法は、設置面に置いて使うことは勿論であるが、携帯型としては、被対象物に取り付ける手段、例えば、吊り治具、ベルトクリップやストラップを通すためのフック、穴、バンドを通し、人体やペットなどに装着するバンド通し穴などを装置本体１に備えることが好ましい。
【図面の簡単な説明】
【００４０】
【図１】ファン式薬剤放散装置の断面図である。
【図２】ファンと薬剤保持体の分解斜視図である。
【図３】第２の実施の形態を示すファン式薬剤放散装置の断面図である。
【図４】ファンと薬剤保持体の第２の実施の形態を示す断面図である。
【図５】ファンと薬剤保持体の第３の実施の形態を示す断面図である。
【図６】ファンと薬剤保持体の第４の実施の形態を示す断面図である。
【符号の説明】
【００４１】
１…装置本体、２…送風機、３…薬剤保持体、１０…本体、１１…蓋、１２…第１収容室、１４…第１通気口、１５…第２通気口、２０…ファン、２０ａ…側面、２０ｂ…周面、３０…薬剤含浸シート、４０…上リング、４１…下リング、４２…翼、４５…突起（係止手段）、４６…切欠凹部（係合部）。
【図１】
2005237320.tif 000003
【図２】
2005237320.tif 000004
【図３】
2005237320.tif 000005
【図４】
2005237320.tif 000006
【図５】
2005237320.tif 000007
【図６】
2005237320.tif 000008